(57)【特許請求の範囲】
【請求項１】
内視鏡を洗浄及び消毒する内視鏡洗浄消毒装置において、
洗浄及び消毒される内視鏡が収納される洗浄消毒槽と、
前記洗浄消毒槽内にセットされた内視鏡の識別情報を検知する識別情報検知部と、
前記洗浄消毒槽の所定位置に内視鏡が載置された際、当該内視鏡の複数の流体用管路にそれぞれ連通した複数の内視鏡側口金部に対してそれぞれ着脱自在に接続される複数の着脱口金を備える着脱ユニットと、
前記着脱ユニットにおける前記複数の着脱口金にそれぞれ連通された複数の洗浄装置側管路を介してそれぞれ接続された、複数の切替弁を備えた切替弁ブロックと、
前記複数の内視鏡側口金部に前記着脱ユニットにおける前記複数の着脱口金が接続された際、前記識別情報検知部により検知した識別情報に基づいて、前記切替弁ブロックにおける複数の切替弁の開閉を選択的に切り替えることにより、洗浄液、消毒液または空気を供給する前記内視鏡における流体用管路の切替制御を行う制御部と、
を具備したことを特徴とする内視鏡洗浄消毒装置。
【請求項２】
前記制御部は、前記識別情報に基づいて、前記洗浄消毒槽の所定位置に載置された内視鏡が２つのチャンネルを備えた内視鏡である場合は、前記切替弁ブロックにおける前記複数の切替弁を選択的に切り替えて、前記洗浄装置側管路における１つの送液管路を前記内視鏡の一方のチャンネルに接続して該一方のチャンネルに対する洗浄及び消毒をする処理を行うよう制御した後に、当該送液管路を前記一方のチャンネルから当該内視鏡の他方のチャンネルに接続して該他方のチャンネルに対する洗浄及び消毒をする処理を行うように制御することを特徴とする請求項１に記載の内視鏡洗浄消毒装置。
【請求項３】
前記制御部は、前記識別情報に基づいて、前記洗浄消毒槽の所定位置に載置された内視鏡が前方送水を行う前方送水管路を備えていない場合には、前記前方送水管路への送液を行う工程を行わない制御を行うことを特徴とする請求項１に記載の内視鏡洗浄消毒装置。
【請求項４】
前記制御部は、前記識別情報に基づいて、前記洗浄消毒槽の所定位置に載置された内視鏡の長さ情報を参照し、前記内視鏡の先端部付近にてブラシ送り出しを往復運動させることで、前記先端部を集中的にブラシングする制御動作を行うことを特徴とする請求項１に記載の内視鏡洗浄消毒装置。
【請求項５】
さらに、前記内視鏡の複数の流体用管路に送液される送液流量を検知する流量検知部を備えることを特徴とする請求項１−４のいずれか一項に記載の内視鏡洗浄消毒装置。
【請求項６】
さらに、前記内視鏡の複数の流体用管路に送液される送液流量を監視することにより、前記複数の流体用管路における詰まり検知を行うことを特徴とする請求項１−４のいずれか一項に記載の内視鏡洗浄消毒装置。
【請求項７】
前記着脱ユニットは、前記複数の内視鏡側口金部に当該着脱ユニットにおける前記複数の着脱口金が接続されたか否かを検出するセンサを備えたことを特徴とする請求項１−６のいずれか一項に記載の内視鏡洗浄消毒装置。
【発明の詳細な説明】
【技術分野】
【０００１】
本発明は、内視鏡を洗浄及び消毒する内視鏡洗浄消毒装置に関する。
【背景技術】
【０００２】
従来の内視鏡洗浄消毒装置では、この内視鏡洗浄消毒装置側のコネクタと、内視鏡の口金とを接続する洗浄チューブをユーザが手動で接続していた。また、各内視鏡の種類（前方送水管路の有無、２つのチャンネルを備えた２チャンネル内視鏡）などは専用の洗浄チューブを接続することで対応していた。  
このように、従来はユーザにかかる負担が多く、各内視鏡別に洗浄チューブを用意しなければならないなど、煩わしい面があった。  
このため、例えば特開２００６−０２６２３３号公報には、内視鏡の各種認識情報、例えば挿入部の長さ情報に基づいて、自動ブラシユニットを動作させることが開示されている。
【０００３】
また、特開２００４−１４１３３６号公報には、内視鏡のＩＤ情報を読み取ることにより、内視鏡先端部が洗浄槽のどの位置にくるかを割り出し、そこに対応する洗浄シャワーノズル（公報中の図１における４ｃと４ｇ）のシャワー切替弁（公報中の図１における５ｃと５ｇ）を開いて、先端部を選択的に強力なシャワー洗浄を行う装置が開示されている。
【特許文献１】特開２００６−０２６２３３号公報
【特許文献２】特開２００４−１４１３３６号公報
【発明の開示】
【発明が解決しようとする課題】
【０００４】
しかしながら、上述した従来例は、内視鏡の識別情報若しくは認識情報を利用して、洗浄に係る所定の処理の動作を行うものであるが、この他にもユーザの洗浄消毒にかかる負担を軽減できる処理があり、それらの処理を自動的に行えるようにして、ユーザの負担を軽減し、操作性を向上できる装置が望まれる。  
（発明の目的）
本発明は上述した点に鑑みてなされたもので、ユーザの洗浄消毒に係る少なくとも一部の処理を自動的に行えるようにして、ユーザの負担を軽減し、操作性を向上できる内視鏡洗浄消毒装置を提供することを目的とする。
【課題を解決するための手段】
【０００５】
本発明の一態様の内視鏡洗浄消毒装置は、内視鏡を洗浄及び消毒する内視鏡洗浄消毒装置において、洗浄及び消毒される内視鏡が収納される洗浄消毒槽と、前記洗浄消毒槽内にセットされた内視鏡の識別情報を検知する識別情報検知部と、前記洗浄消毒槽の所定位置に内視鏡が載置された際、当該内視鏡の複数の流体用管路にそれぞれ連通した複数の内視鏡側口金部に対してそれぞれ着脱自在に接続される複数の着脱口金を備える着脱ユニットと、前記着脱ユニットにおける前記複数の着脱口金にそれぞれ連通された複数の洗浄装置側管路を介してそれぞれ接続された、複数の切替弁を備えた切替弁ブロックと、前記複数の内視鏡側口金部に前記着脱ユニットにおける前記複数の着脱口金が接続された際、前記識別情報検知部により検知した識別情報に基づいて、前記切替弁ブロックにおける複数の切替弁の開閉を選択的に切り替えることにより、洗浄液、消毒液または空気を供給する前記内視鏡における流体用管路の切替制御を行う制御部と、を具備する。
【発明の効果】
【０００６】
本発明によれば、内視鏡に設けられた複数の管路に、洗浄液又は消毒液又は空気を供給する前記複数の管路に接続される接続管路の切替、前記複数の管路に着脱自在に接続され、送液又は送気するための複数の着脱口金の各接続検知部による検知信号の切替との少なくとも１つの切替を行う切替制御を自動的に行うので、ユーザの負担を軽減し、操作性を向上できる。
【発明を実施するための最良の形態】
【０００７】
以下、図面を参照して本発明の実施例を説明する。  
（実施例１）
図１ないし図７は本発明の実施例１に係り、図１は本発明の実施例１の内視鏡洗浄消毒装置の内視鏡管路内への送液を行う部分を主体とした構成を示し、図２は内視鏡の管路装着部に自動的に接続する管路着脱ユニットの構成を示し、図３は自動ブラシングユニットの構成を示す。  
図４は洗浄消毒の工程モードの処理手順を示し、図５は洗浄消毒の工程モードにおけるブラシ工程の処理手順を示し、図６は洗浄消毒の工程モードにより内視鏡管路及び処置具チャンネル管路に送液するタイミング動作の説明図を示し、図７はブラシ工程により、処置具チャンネル管路をブラシングする動作の説明図を示す。  
図１に示すように本発明の実施例１の内視鏡洗浄消毒装置１は、内視鏡２Ａ或いは２点鎖線で示す内視鏡２Ｂ等、種類の異なる内視鏡２Ｉ（Ｉ＝Ａ、Ｂ、その他）を収納して、洗浄及び消毒（洗浄消毒と略記）する洗浄消毒槽３を備える。
【０００８】
この洗浄消毒槽３には、この洗浄消毒槽３内にセットされる内視鏡２Ｉの各種の流体用管路に自動で着脱自在に接続（装着）され、洗浄液或いは消毒液の液体を送液する送液管路着脱ユニット（以下、管路着脱ユニットと略記）４と、内視鏡２Ｉの処置具チャンネル（処置具ＣＨと略記）の挿入口としてのチャンネル口金（ＣＨ口金と略記）５に着脱自在に接続（装着）されるチャンネル着脱ユニット（ＣＨ着脱ユニットと略記）６とが設けられている。  
また、この洗浄消毒槽３の例えば底面或いは側面には、この洗浄消毒槽３内にセットされる内視鏡２Ｉの固有の識別情報としての内視鏡ＩＤ発生部７による内視鏡ＩＤ７ａを認識（識別）する内視鏡ＩＤ認識部（図１ではＩＤ認識部と略記）８が設けられている。
【０００９】
内視鏡２Ｉは、細長の挿入部９と、この挿入部９の後端に設けられた操作部１０とを有する。挿入部９の後端付近には、ＣＨ口金５が設けられている。例えば内視鏡２Ａは、２つの処置具ＣＨを有し、従って２つのＣＨ口金５、５を備えた内視鏡であり、内視鏡２Ｂは、１つの処置具ＣＨを有し、従って１つのＣＨ口金５を備えた内視鏡である。  
なお、以下では簡単化のため、２つの処置具ＣＨを有する内視鏡を２ＣＨの内視鏡、１つの処置具ＣＨを有する内視鏡を１ＣＨの内視鏡とも言う。  
なお、内視鏡２Ｉに設けられている内視鏡ＩＤ発生部７は、例えばＲＦＩＤにより形成されており、このＲＦＩＤは内視鏡２Ｉの表面に一体的に設けても良いし、内視鏡２Ｉに鎖などで固定的に接続したＲＦＩＤタグ等でも良い。  
また、操作部１０には、挿入部９内に設けられた送気や送水を行う複数の流体用管路にそれぞれ連通し、その後端側の開口となる複数の口金が設けられた流体用管路接続部（管路接続部と略記）１２が設けられている。なお、この管路接続部１２には、リーク検出口金１７ａ（図２参照）も設けられている。
【００１０】
そして、内視鏡２Ｉが洗浄消毒槽３内の所定の位置に載置或いはセットされると、この管路接続部１２には、管路着脱ユニット４の可動部材としての着脱口金保持部２２が移動して、自動的に管路接続部１２に管路着脱ユニット４が接続（装着）される。  
図２に示すようにこの管路接続部１２には、送気管路１４の口金１４ａ，送水管路１５の口金１５ａ，そして前方送水管路１６の口金１６ａが設けられている。  
なお、図２に示す内視鏡（例えば内視鏡２Ａ）の場合には、前方送水管路１６が設けられている場合で示しているが、この前方送水管路１６が設けられていない種類の内視鏡２Ｂの場合とがある。また、図２の構成の場合には、リーク検出に用いられるリーク検出口金１７ａも設けられている。
【００１１】
そして、この管路接続部１２に着脱自在に接続される管路着脱ユニット４は、着脱口金保持部２２を有する。この着脱口金保持部２２には内視鏡２Ｉに設けられた口金１４ａ，１５ａ，１６ａにそれぞれ着脱自在に接続される着脱口金１８、１９，２０と、リーク検出口金１７ａに接続される着脱口金２１とが取り付けられている。  
また、この管路着脱ユニット４は、着脱口金保持部２２を移動して、管路接続部１２の口金１４ａ〜１７ａに着脱自在に接続する駆動機構２３が洗浄消毒槽３の外側に設けてある。
【００１２】
つまり、この駆動機構２３は、以下に説明するように着脱口金１８〜２１が取り付けられた着脱口金保持部２２を非接触で駆動する構成にしている。  
具体的には、洗浄消毒槽３の内壁面に突出するように設けられたガイド枠２４には、上記着脱口金保持部２２が嵌合して、ガイド枠２４のガイド方向、図２では矢印で示す左右方向にスライド自在となっている。また、着脱口金保持部２２に取り付けられた着脱口金１８〜２１の後端には、シリコンチューブ等の軟性材料で形成され、屈曲自在となるチューブ２５が接続されている。
【００１３】
また、着脱口金保持部２２は、例えば磁石或いは鉄等の強磁性体で形成され、洗浄消毒槽３の外側には、着脱口金保持部２２の周辺位置にも、磁石又は強磁性体で形成された（着脱口金保持部２２を磁力で吸引した状態で共に可動させるための）可動部材２６が配置されている。図２の例では、両方とも磁石の場合で示しているが、一方のみ磁石にしても良い。  
この可動部材２６は、（洗浄消毒槽３の外側に配置された）駆動手段としてのモータ２７により移動されるベルト２８に取り付けられている。このベルト２８は、対となるローラ２９（図示ではその一方のみ示す）間に掛け渡してあり、モータ２７の回転により、ベルト２８は、水平方向に移動する。
【００１４】
そして、このベルト２８の移動により、可動部材２６も移動し、この可動部材２６との間に働く磁力により、着脱口金保持部２２も移動する。このように磁力を用いて着脱口金保持部２２を移動する構成にしているので、予め設定された磁力以上の力で着脱口金１８〜２１を内視鏡２Ｉ側に押し付けてしまうようなことを未然に防止できる。  
また着脱口金１８〜２１を交換可能とすることにより、種類が異なる内視鏡の場合にも対応が可能になる。  
なお、図２に示すローラ２９をモータ２７の回転軸に取り付けて、これに摺接するベルト２８を移動する構成にしても良い。
【００１５】
図２の図示例では、ガイド枠２４の端部を（内視鏡２側の）管路接続部１２に接触させていない状態で示しているが、実際には接触或いはこれに近い状態にセットされた状態でその内側でスライド移動自在の着脱口金保持部２２を図２の左側に移動させる。この移動により、着脱口金保持部２２の着脱口金１８〜２１をそれぞれ口金１４ａ〜１７ａに接続する。  
なお、着脱口金１８〜２１の端部には、例えば所定の圧力値以上でセンサ出力がオフからオンになるセンサ３０がそれぞれ接続検知部として設けてあり、各センサ３０のセンサ出力は、後述する制御部３９を構成するＣＰＵ３９ａに入力される。  
そして、ＣＰＵ３９ａは、各センサ３０のセンサ出力により、正常に装着された状態であるか否かをモニタする。この場合、センサ３０は、複数であるので、ＣＰＵ３９ａは複数のセンサ３０、３０、…のセンサ出力（検知信号）を切り替えることにより、着脱口金１８〜２１における個々の接続状態が正常でるか否かを判定することが可能となる。
【００１６】
そして、正常に装着されていないと、ＣＰＵ３９ａは図示しない表示部により、ユーザに対して正常に装着されていない旨の表示による告知や、音による告知を行う。  
図１に示すように着脱口金１８〜２０は、管路（或いはチューブ）を介して送液を切り替える送液切替手段としての送液切替弁ブロック（以下、切替弁ブロックと略記）３１の送気管路弁３２、送水管路弁３３、前方送水管路弁３４に接続されている。切替弁ブロック３１は、ＣＰＵ３９ａにより、その切替動作が制御される。  
なお、この切替弁ブロック３１は、これら３つの弁３２〜３４の他に後述するＣＨ管路弁４３も設けられている。  
また、着脱口金２１は、管路を介してオートリークユニット３５に接続されている。このオートリークユニット３５は、このオートリークユニット３５から気体を着脱口金２１を介して内視鏡２Ｉの中空部内に注入した後、その後の圧力変化を検出して内視鏡２Ｉに、漏水の原因になるピンホールやひび割れなどのリーク箇所が有るか否かを自動検出する。
【００１７】
後述するようにこのリーク箇所が有るか否かを自動検出するオートリーク検出は、洗浄消毒の工程を開始する前に行われる。
【００１８】
また、洗浄消毒槽３の壁部には、２つの処置具ＣＨの口金５、５に着脱自在に接続される着脱ＣＨ口金３６，３６が設けられたＣＨ着脱ユニット６が設けられている。このＣＨ着脱ユニット６は、例えば図２で示した場合と同様な構成で着脱ＣＨ口金３６，３６を口金５，５に自動的に着脱自在に接続することができる。  
なお、着脱ＣＨ口金３６，３６を口金５，５に自動的に接続する構造でなく、手動で接続する構造にしても良い。なお、図３に示すように着脱ＣＨ口金３６の先端にもセンサ３０′が設けてある。そして、ＣＰＵ３９ａは、センサ３０′のセンサ出力（検知信号）により、センサ３０の場合と同様に、正常に接続されたか否かを確認することができるようにしている。  
２つの着脱ＣＨ口金３６，３６は、洗浄消毒槽３の外側において２つの管路の１つに連通するように切り替えを行う切替弁３７と接続されている。そして、１つの管路には自動ブラシユニット３８が設けてある。
【００１９】
つまり、本実施例では、後述するように１つの管路に設けた自動ブラシユニット３８を設けた１つの管路を、この切替弁３７で切り替えることにより、２つの処置具ＣＨを有する内視鏡の場合に対しても、その２つの処置具ＣＨ内をブラシングすることができるようにしている。  
また、内視鏡洗浄消毒装置１は、消毒する薬液を貯めるタンク４４が設けてあり、このタンク４４内に貯えられた薬液は、３方弁４０が途中に介挿された管路中に配置されたポンプ４１に接続されている。  
このポンプ４１は、タンク４４内の薬液を吸い上げて管路の上流側に配置された切替弁ブロック３１の入り口に送り込む。このポンプ４１と切替弁ブロック３１との間には切替弁ブロック３１（を介して内視鏡２Ｉの管路）に送液される液体の流量を検出する流量センサ４２が設けてある。
【００２０】
なお、洗浄する場合には、図示しない水道蛇口等から洗浄消毒槽３に洗浄液が供給され、この洗浄液は３方弁４０を経てポンプ４１側に吸い上げられ、消毒液の場合と同様に内視鏡２Ｉの洗浄に利用される。  
或いは、最初にタンク４４に洗浄液を満たして洗浄を行った後、洗浄液を排出して、次にタンク４４内に薬液を満たして、消毒を行うようにしても良い。  
上記切替弁ブロック３１には、その入り口から送り込まれる洗浄液或いは薬液、つまり液体を個別（選択）的に開閉して送気管路弁３２，送水管路弁３３，前方送水管路弁３４及びＣＨ管路弁４３をそれぞれ介して口金１４ａ〜１６ａと切替弁３７に送液することができるようにしている。送気管路弁３２，送水管路弁３３，前方送水管路弁３４及びＣＨ管路弁４３は、それぞれＣＰＵ３９ａにより開閉制御可能な開閉弁（例えば電磁弁）により形成されている。
【００２１】
上記流量センサ４２は、管路内を流れる液体の流量検出により、ポンプ４１から送気管路弁３２等、閉から開にされた弁と連通状態の送気管路１４等、個別の内視鏡管路の詰まりの検出が可能になる。  
そのため、この流量センサ４２は、制御部３９を構成するＣＰＵ３９ａ（図３参照）により、流量検出量がモニタされる（換言すると、流量センサ４２の検出信号はＣＰＵ３９ａに入力される）。そして、ＣＰＵ３９ａは、切替弁ブロック３１の切替制御により実際に送液を行っている管路における流量や、詰まり具合を検知することができる。  
また、切替弁ブロック３１におけるＣＨ管路弁４３は、管路途中に配置された自動ブラシユニット３８を介して、切替弁３７と接続されている。
【００２２】
この自動ブラシユニット３８は、図３に示すように処置具ＣＨ１１における、そのＣＨ部分を形成するその管路内面（ＣＨ内面とも言う）を洗浄するためのブラシ３８ａと、このブラシ３８ａを進退させるブラシ送り機構３８ｂとを備えている。  
また、ブラシ３８ａは、例えばワイヤの先端に、ＣＨ内面を洗浄するためのブラシ部を設けて形成されている。そしてワイヤの後端側において、例えばローラを回転させることにより、ワイヤを前進或いは後進（後退）させるブラシ送り機構３８ｂが設けてある。    また、このブラシ送り機構３８ｂは、制御部３９を構成するＣＰＵ３９ａにより制御されるドライブ回路３９ｂを介して駆動される。  
そして、ドライブ回路３９ｂは、ＣＰＵ３９ａからブラシ前進信号が伝達されると、ブラシ送り機構３８ｂを駆動して、ブラシ３８ａを前進させる。また、ドライブ回路３９ｂは、ブラシ後進信号が伝達されると、ブラシ送り機構３８ｂを駆動して、ブラシ３８ａが後進させる。
【００２３】
また、ブラシ送り機構３８ｂによるブラシ３８ａの送り出し量は、ブラシ送り出し量検知センサ３８ｃより検知され、ＣＰＵ３９ａにフィードバックされる。  
また、ＣＰＵ３９ａは、メモリ３９ｃと接続され、各種情報を記憶したり、制御に必要な情報を読み出す。  
また、このＣＰＵ３９ａには内視鏡ＩＤ認識部８により読み取られた内視鏡ＩＤの情報も入力される。ＣＰＵ３９ａは、この内視鏡ＩＤの情報により、内視鏡２Ｉの種類を認識し、認識した内視鏡２Ｉに適合した制御動作を行う。  
例えば、内視鏡２Ｉが２つの処置具ＣＨを備えた２ＣＨの内視鏡であると認識した場合には、２つの処置具ＣＨに対して洗浄消毒を行うように、切替制御を行う。また、２ＣＨの内視鏡であると認識した場合には、一方の処置具ＣＨに対して自動ブラシユニット３８によりブラシングを行った後、ＣＰＵ３９ａは切替弁３７を切り替えて他方の処置具ＣＨに対して自動ブラシユニット３８によりブラシングを行う。
【００２４】
また、内視鏡ＩＤの情報により、前方送水管路を有しない内視鏡と認識した場合には、その前方送水管路に送液することをスキップ又は送液を停止するように切替弁ブロック３１の切替弁の切替制御を行う。  
また、内視鏡ＩＤによる内視鏡２Ｉの長さの情報を参照して、上記の自動ブラシユニット３８により、各内視鏡２Ｉの長さが異なるような場合にも、その処置具ＣＨ内における汚れが付着し易い先端部を重点的にブラシングすることができるようにしている。  
このような構成の内視鏡洗浄消毒装置１においては、例えば以下のような特徴を備えている。洗浄消毒槽３内にセットされる内視鏡２Ｉの管路接続部１２に対して、管路着脱ユニット４を自動的に接続する自動接続手段が設けてある。
【００２５】
また、洗浄消毒工程においては、洗浄消毒槽３内に貯られた洗浄液、または、タンク４４内に貯られた薬液は、ポンプ４１にて吸い上げられ、切替弁ブロック３１に送り込まれる。
【００２６】
そして、切替弁ブロック３１に接続された送気管路弁３２、送水管路弁３３、前方送水管路弁３４、ＣＨ管路弁４３における閉から開にする弁を切り替えることで各々の管路に個別に送液の制御が可能となる。  
また、ポンプ４１と切替弁ブロック３１間に配置された流量センサ４２により、各管路の弁との組合せにより、内視鏡管路内の詰まりの発生の有無の検知が可能となる。  
また、ＣＨ管路弁４３により洗浄消毒槽３内の処置具ＣＨ１１と接続される管路内には、自動ブラシユニット３８が設けられており、これにより、処置具ＣＨ１１内の自動ブラシングが可能となる。  
また、本実施例では切替弁３７が設けてあり、２ＣＨの内視鏡の場合には、この切替弁３７を切り替えて、２つの処置具ＣＨ１１，１１のＣＨ内面をブラシングすることも可能にしている。
【００２７】
次に本実施例の動作を図４のフローチャートを参照して説明する。  
電源が投入されてステップＳ１において洗浄消毒槽３内にセットされた内視鏡２Ｉの管路接続部１２に管路着脱ユニット４が自動的に接続される自動接続（装着）が行われる。  この自動接続は、図２に示したように着脱口金保持部２２側がガイド枠２４のガイド方向、図２の例では左側に移動することにより行われる。その際、ＣＰＵ３９ａは、センサ３０の検知信号を切り替えて着脱口金１８〜２１が接続されたか否かの判定を行う。なお、以下に説明する内視鏡ＩＤを認識後に、この自動接続を行うようにしても良い。  
また、同様にＣＨ着脱ユニット６も移動され、着脱口金３６がＣＨ口金５に自動接続される。この場合、２ＣＨの内視鏡２Ｉの場合には、２つの着脱口金３６、３６が２つのＣＨ口金５、５に自動接続され、１ＣＨの内視鏡２Ｉの場合には、２つの着脱口金３６、３６の一方が１つのＣＨ口金５に自動接続されることになる。上述したように、ＣＨ着脱ユニット６は、手動で接続する構成にしても良い。
【００２８】
次のステップＳ２の自動接続の終了時間を待つスタンバイの後、ステップＳ３の内視鏡ＩＤの読取待機状態になる。そして、その間にステップＳ４に示すように内視鏡ＩＤ認識部８は、内視鏡ＩＤ発生部７の内視鏡ＩＤ７ａを読み取り、制御部３９のＣＰＵ３９ａに送信する。  
そして、ＣＰＵ３９ａは、例えばメモリ３９ｂに格納された登録された内視鏡ＩＤ情報と比較するなどして内視鏡ＩＤ７ａを認識する判定を行う。なお、このメモリ３９ｂには、この内視鏡洗浄消毒装置１により対応できる内視鏡ＩＤが登録されている。ステップＳ４により、認識できなかった場合には、ステップＳ３に戻り、同様の動作を行う。  
そして、内視鏡ＩＤ７ａを認識した場合には、ステップＳ５に示すようにその（内視鏡ＩＤ７ａの）内視鏡２Ｉは、この内視鏡洗浄消毒装置１により洗浄消毒できる適合内視鏡として認識される。
【００２９】
次のステップＳ６においてＣＰＵ３９ａは、この内視鏡ＩＤ７ａに相当する内視鏡情報、具体的には処置具ＣＨが１つ、或いは２つのものであるか、前方送水管路を有する或いは有しない等の情報を例えばメモリ３９ｂに記憶、或いはＣＰＵ３９ａ内のレジスタにセットする。  
そして、以下に説明するように、その内視鏡情報を用いて、ＣＰＵ３９ａは、洗浄消毒槽３にセットされた内視鏡２Ｉに適した洗浄及び消毒等の処理工程を自動的に行うように切替等の制御をする。  
次のステップＳ７においてＣＰＵ３９ａは、この内視鏡２Ｉがその内視鏡情報から前方送水管路１６を有するか否かの判定を行う。そして、その判定結果により、前方送水管路１６を有する場合にはステップＳ８に、前方送水管路１６を有しない場合にはステップＳ９に進む。
【００３０】
ステップＳ８においてＣＰＵ３９ａは、この内視鏡２Ｉがその内視鏡情報から２ＣＨの内視鏡であるか否かの判定を行う。そして、その判定結果により、２ＣＨの内視鏡の場合にはステップＳ１０に、２ＣＨの内視鏡でない場合にはステップＳ１１に進む。  
同様にステップＳ９においてＣＰＵ３９ａは、この内視鏡２Ｉがその内視鏡情報から２ＣＨの内視鏡であるか否かの判定を行う。そして、その判定結果により、２ＣＨの内視鏡の場合にはステップＳ１２に、２ＣＨの内視鏡でない場合にはステップＳ１３に進む。    ステップＳ１０〜Ｓ１３においてＣＰＵ３９ａは、洗浄消毒の工程モードセットを行い、ステップＳ１４に進む。  
具体的には、ステップＳ１０の場合には、ＣＰＵ３９ａは、前方送水管路１６が有り、かつ２ＣＨの内視鏡の洗浄消毒の工程モードのセットを行う。
【００３１】
ステップＳ１１の場合には、ＣＰＵ３９ａは、前方送水管路１６が有り、かつ１ＣＨの内視鏡の洗浄消毒の工程モードのセットを行う。  
ステップＳ１２の場合には、ＣＰＵ３９ａは、前方送水管路１６が無し、かつ２ＣＨの内視鏡の洗浄消毒の工程モードのセットを行う。  
ステップＳ１３の場合には、ＣＰＵ３９ａは、前方送水管路１６が無し、かつ１ＣＨの内視鏡の洗浄消毒の工程モードのセットを行う。  
ステップＳ１４においてＣＰＵ３９ａは、洗浄消毒の工程モードのスタートを行うスタートＳＷがオンされるのを待つ待機状態になる。  
次のステップＳ１５においてＣＰＵ３９ａは、ユーザによりスタートＳＷがオンされたか否かを判定し、オンされていない場合には、ステップＳ１４に戻る。
【００３２】
そして、スタートＳＷがオンされた場合にはステップＳ１６に示すように洗浄消毒の工程を開始する。  
なお、ステップＳ１６の洗浄消毒の工程を開始する前に、オートリークユニット３５により内視鏡２Ｉに、漏水の原因になるピンホールやひび割れなどのリーク箇所が有るか否かの自動検出、つまりオートリーク検出の動作を行う。  
このため、ＣＰＵ３９ａは、オートリークユニット３５内の管路（接続管路或いは装置側管路）を切り替えてリーク検出の空気を着脱口金２１を経て内視鏡２Ｉの口金１７ａ側に供給するように制御する。  
そして、その場合、図示しない圧力センサにより、内視鏡２Ｉの口金１７ａに供給される空気が所定の圧力値に達した場合には、ＣＰＵ３９ａは、空気の供給を停止するように、例えばオートリークユニット３５内の管路の切替を行う。
【００３３】
この場合、ＣＰＵ３９ａは、オートリーク検出を行う場合上記所定の圧力値を、認識した内視鏡２Ｉの種類等に応じて適切に設定する制御を行う。  
その後、オートリークユニット３５は、内視鏡２Ｉの口金１７ａに連通した状態での圧力変化を圧力センサの検出値でモニタし、その時間的な変化によってリーク箇所の有無の検出、或いは判定する。  
オートリークユニット３５は、その検出或いは判定結果をＣＰＵ３９ａに伝える。
【００３４】
そして、リーク箇所が検出された場合には、ＣＰＵ３９ａは、図示しない表示部等により、リーク箇所が検出されたことをユーザに告知する。  
一方、オートリーク検出によってピンホールやひび割れなどのリーク箇所が無いと判定された場合には、ＣＰＵ３９ａは、ステップＳ１６の洗浄消毒の工程を開始させる。
【００３５】
このように制御部３９を構成するＣＰＵ３９ａは、内視鏡２Ｉのリーク検出の管路に接続され、空気を供給する（接続）管路の切替制御も行う。  
そして制御部３９は、このようにオートリーク検出の処理工程の制御も行うようにすることにより、ユーザが行う作業などの負担を解消或いは軽減して、以下に説明する洗浄消毒の工程も含めて円滑に行うことができるようになる。  
なお、内視鏡２Ｉにリーク検出の空気を供給する管路の切替制御を行う制御手段としては、上述した制御部３９の場合に限らず、この制御部３９の制御の下で、オートリークユニット３５内の図示しない制御部が行うようにしても良い。
【００３６】
ステップＳ１６の洗浄消毒の工程を開始により洗浄消毒の工程を行う。そして、洗浄消毒槽３に「洗浄液を送液する」、「消毒液を送液する」、「管路内の液を排出」する、そして、「管路流量を測定」する場合に図６のタイムチャートに示すような管路弁、ＣＨ管路弁の切替を行う。  
図６に示す例では、ＣＰＵ３９ａは、最初に切替弁ブロック３１におけるＣＨ管路弁２０を閉から開にし、ポンプ４１を動作させて洗浄液を循環、つまり、洗浄消毒槽３内に送液された洗浄液を３方弁４０を経てポンプ４１で吸い上げ、切替弁ブロック３１の開にされたＣＨ管路弁２０を経て、内視鏡２Ｉの処置具ＣＨ１１内を洗浄する。この洗浄は、所定時間行われることにより、処置具ＣＨ１１の洗浄が完了する。
【００３７】
この洗浄が完了すると、ＣＰＵ３９ａの制御で切替弁ブロック３１の送気管路弁３２が開にされ、送気管路１４の洗浄が行われる。この洗浄を行う場合、ＣＰＵ３９ａは２ＣＨの内視鏡の洗浄消毒モードであるか否かの判定結果により、これに該当する場合には、切替弁３７の切り替えを開始する。  
つまり、２ＣＨの内視鏡の場合には、切替弁３７を切り替え、１ＣＨの内視鏡の場合には、切替弁３７を切り替えない（図６の例では、切替弁３７の切り替えは以下の送水管路の洗浄の完了時までに終了する）。  
この送気管路１４の洗浄が完了すると、ＣＰＵ３９ａの制御で切替弁ブロック３１の送水管路弁３３が開にされ、送水管路１５の洗浄が行われる。
【００３８】
この送水管路１５の洗浄が完了すると、ＣＰＵ３９ａの制御で、前方送水管路１６有りの内視鏡の洗浄消毒モードであるか否かの判定結果により、これに該当する場合には、前方送水管路弁３４を開にする。そして、前方送水管路１６の洗浄が行われる。  
なお、前方送水管路１６無しの内視鏡の洗浄消毒モードの場合には、この工程はスキップされる。つまり、ＣＰＵ３９ａは、前方送水管路１６無しの内視鏡の場合には、前方送水管路弁３４を開にする切替をスキップする（飛ばす）ように切替弁ブロック３１の切替制御を行う。  
また、この前方送水管路弁３４の洗浄が完了（或いはスキップ）後、２ＣＨの内視鏡の洗浄消毒モードの場合には、切り替えられた処置具ＣＨ１１の洗浄が行われる。  
このようにして、洗浄液による洗浄が完了すると、この洗浄液を洗浄消毒槽３から排液し、タンク４４からの消毒液を用いて図６に示すような動作を同様に行う。
【００３９】
消毒液を用いての消毒が完了すると、管路内の液を排出して、ステップＳ１６の洗浄消毒の工程を終了し、図５に示すブラシ工程或いはブラシ洗浄工程に移る。  
ステップＳ１７に示すように自動ブラシユニット３８によるブラシ工程を開始する。このブラシ工程を開始すると、ステップＳ１８に示すように制御部３９を構成するＣＰＵ３９ａは、図３に示すドライブ回路３９ｂにブラシ前進信号をオンにする。  
すると、このドライブ回路３９ｂは、ブラシ送り機構３８ｂを駆動して、ブラシ３８ａを前進させる。  
すると、ブラシ送り量検知センサ３８ｃがブラシ送り機構３８ｂによるブラシ送り出し量を検知して、そのＣＰＵ３９ａに出力する。  
ステップＳ１９に示すようにＣＰＵ３９ａは、内視鏡ＩＤ７ａの情報から、入力されたブラシ送り出し量がこの内視鏡２Ｉの内視鏡長さ情報以上に達したか否かを判定する。そして、ブラシ送り出し量が内視鏡長さ情報以上に達していない場合には、ステップＳ１８に戻り、その動作を行う。
【００４０】
そして、ブラシ送り出し量が内視鏡長さ情報以上に達した場合には、次のステップＳ２０に進み、ＣＰＵ３９ａは、ブラシ前進信号をオフにする。  
次のステップＳ２１において先端部洗浄モードに移る。  
この先端部洗浄モードになると、ブラシ３８ａを前進及び後進を細かく繰り返すことで、内視鏡２Ｉの先端部に付着している汚れを強力に洗浄することができる。ブラシ前進信号により、ブラシ工程の開始から先端部を洗浄する動作の様子を図７に示す。  
図７では、例えば内視鏡長さ＝５とした場合において、ブラシ送り出し量センサ値と、ブラシ前進信号、ブラシ後進信号、往復回数を示している。なお、図７の水平方向の右側が時間の経過方向となる。
【００４１】
ブラシ工程が開始すると、０であったブラシ送り出し量センサ値（以下センサ値と略記）がブラシ前進信号のオン時間と共に、そのセンサ値が大きくなり、５を超えて６になるとブラシ前進信号がオフにされる。そして、１回目前進完了となる。なお、内視鏡長さ＝５としているので、ブラシ３８ａは、先端部から突出する状態になる。  
そして、先端部洗浄モードになると、短い期間ブラシ後進信号がオンにされ、センサ値が４となる位置までブラシ３８ａは移動する。なお、この場合の４の位置は、先端部の後端よりも手元側の位置に相当する。  
そして、やはり短い期間ブラシ前進信号がオンにされ、センサ値が６となる位置までブラシ３８ａは移動する。この後、再び短い期間ブラシ後進信号がオンにされ、センサ値が４となる位置までブラシ３８ａは移動する。
【００４２】
このようにして、ブラシ３８ａを前進及び後進を細かく繰り返すことのより先端部洗浄が完了する。そして、この先端部洗浄が完了すると、ステップＳ２２に示すようにＣＰＵ３９ａは、ブラシ後進信号をオンにする。  
すると、ドライブ回路３９ｂは、ブラシ送り機構３８ｂを駆動して、ブラシ３８ａを後進させる。  
その際、ブラシ送り量検知センサ３８ｃがブラシ送り機構３８ｂによるブラシ送り出し量を検知して、そのＣＰＵ３９ａに出力する。  
ステップＳ２３に示すようにＣＰＵ３９ａは、入力されたブラシ送り出し量が０になったか否かを判定する。そして、ブラシ送り出し量が０になるまで（ステップＳ２２の）ブラシ後進信号をオンにする。
【００４３】
そして、ブラシ送り出し量が０になった場合には、次のステップＳ２４に示すようにＣＰＵ３９ａは、ブラシ後進信号をオフにする。そして、１回目の後進完了となる。  
次のステップＳ２５においてＣＰＵ３９ａは、往復回数をカウントアップする。この場合には、初期状態から行った場合であるので、往復回数Ｎを０から１にカウントアップする。  
そして、次のステップＳ２６においてＣＰＵ３９ａは、往復回数Ｎが設定値に等しいか否かの判定を行う。通常は、往復回数Ｎの設定値は、２以上の複数に設定される。この場合には、設定値に等しくないので、ステップＳ１８に戻り同様の動作を繰り返す。  
このようにして、往復回数Ｎが設定値に等しくなると、ステップＳ２７に示すようにＣＰＵ３９ａは、往復回数をリセットして、初期値０にセットする。
【００４４】
次のステップＳ２８においてＣＰＵ３９ａは、２ＣＨの内視鏡モードであるかの判定を行う。そして、これに該当しない場合には、このブラシ工程を終了する。一方、２ＣＨの内視鏡モードである場合には、片側洗浄完了か否かの判定を、例えばフラグ情報等により判定する。  
そして、ＣＰＵ３９ａは、その片側洗浄完了の場合にはこのブラシ工程を終了し、完了していない場合には、ステップＳ３０の処理に移る。このステップＳ３０において、この片側洗浄完了とフラグ情報をセットする。  
次のステップＳ３１においてＣＰＵ３９ａはＣＨ切替信号を出力し、切替弁３７を切り替えてステップＳ１８に戻る。  
そして、同様の処理を行う。そして、往復回数Ｎが設定値まで行われるとこのブラシ工程を終了する。
【００４５】
このように動作する本実施例によれば、内視鏡２Ｉの識別情報に基づいて、内視鏡２Ｉの種類が異なるような場合にも、実際の洗浄消毒槽３にセットされた内視鏡２Ｉに対して、洗浄消毒に関係する処理工程を自動的に行うことができる。  
従って、本実施例は、ユーザによる内視鏡の洗浄消毒する際の負担を大幅に軽減でき、洗浄消毒する作業の操作性を大幅に向上できる。例えば、以下のように数多くの効果を有する。  
本実施例は、内視鏡の複数の管路と自動的に接続する管路着脱ユニット４を設けているので、洗浄消毒槽３内に内視鏡をセットすれば、自動的に内視鏡の複数の管路と接続することができ、ユーザの接続の作業を低減できる。
【００４６】
また、処置具ＣＨの管路内を、自動的にブラシングする自動ブラシユニット３８が設けられているので、ユーザが処置具ＣＨの管路内をブラシングすることを不用とし、ユーザの作業を低減できる。また、処置具ＣＨにおける汚れ易い先端部を集中的にブラシングすることができ、先端部を清浄な状態にできる。  
また、２つの処置具ＣＨを有する内視鏡にも、１つの処置具ＣＨを有する内視鏡にも対応できる。この場合、１つの自動ブラシユニット３８を切り替えて使用する構成にしているので、２つ設ける場合よりもりコストを低減できる。  
また、前方送水管路の有る内視鏡及び無い内視鏡のいずれの場合にも適切に対応できる。つまり、前方送水管路無しの内視鏡を認識した場合は、前方送水管路単独の送水及び送液工程をスキップ又は送水及び送液することを停止することにより、その工程に要する時間等を短縮化することができる。
【００４７】
本実施例では、内視鏡に固有の識別情報に応じて、洗浄及び消毒に係る工程内容を切り替えることができ、内視鏡の種類が異なる場合にも適切に対応できる。  
また、流量検知部としての流量センサ４２を設けているので、この流量センサ４２を経て送液される複数の管路への流量から詰まりを検出することができる。  
また、内視鏡の複数の管路に着脱自在で接続される着脱口金の接続検知を行う接続検知部としてのセンサ３０を設けているので、センサ３０の検知出力により内視鏡の各管路とその管路に接続される着脱口金の接続状態が正常であるか否かを検出できる。  
また、本実施例では、内視鏡の複数の管路にそれぞれ着脱自在に接続された各着脱口金を設けた複数の装置側となる管路（接続管路或いは装置側管路）を切替弁ブロック３１等において各装置側となる管路に順次洗浄或いは消毒液等を供給するように切替の制御を行うようにしているので、ユーザによる内視鏡の洗浄消毒する際の負担を大幅に軽減できる。
【００４８】
（実施例２）
図８は本発明の実施例２の内視鏡洗浄消毒装置１Ｂの構成を示す。この内視鏡洗浄消毒装置１Ｂは、図１に示したように管路接続部１２が操作部１０にまとめて設けられた内視鏡２Ａ或いは２Ｂとは異なり、従来から広く用いられている内視鏡２Ｃに対応した内視鏡洗浄消毒装置である。  
このため、この内視鏡洗浄消毒装置１Ｂは、図１の内視鏡洗浄消毒装置１において、洗浄消毒槽３には、自動の管路着脱ユニット４の代わりに、手動接続用の管路・ＣＨ着脱ユニット４Ｂが設けられている。  
この管路・ＣＨ着脱ユニット４Ｂには、例えば３つの着脱口金５１ａ、５１ｂ，５１ｃが設けられている。
【００４９】
また、本実施例においては、図１の４つの弁を備えた切替弁ブロック３１の代わりに２つの管路弁５２ａ，ＣＨ管路弁５２ｂが設けられた切替弁ブロック３１Ｂが用いられている。  
そして、ポンプ４１側から流量センサ４２を経て送液される液体を、この切替弁ブロック３１Ｂを経て管路弁５２ａに接続された着脱口金５１ａと、ＣＨ管路弁５２ｂに接続された着脱口金５１ｂとに切り替えて送液する。  
着脱口金５１ａ及び５１ｂに供給された液体は、それぞれ接続チューブ５３ａ，５３ｂを介して内視鏡２Ｃの操作部１０に設けられた送気・送水口金部５４と、操作部１０の前端ないしは挿入部９の後端付近に設けられたＣＨ口金５５にそれぞれ送液する。
【００５０】
なお、接続チューブ５３ａは、例えば送気・送水口金部５４に着脱自在に接続される接続ユニット５６を介して送気・送水口金部５４に送液する。  
なお、着脱口金５１ａから送気・送水口金部５４の送気口金、送水口金に同時に送液しても良いし、実施例１のように切り替えて送気口金、送水口金それぞれ個別に送液するようにしても良い。
【００５１】
また、オートリークユニット３５と接続された着脱口金５１ｃは、接続チューブ５３ｃを介して内視鏡２Ｃのユニバーサルケーブル５７の端部のコネクタ５８に設けられたリーク検知口金５８ａに接続される。  
また、例えばコネクタ５８に設けられたＲＦＩＤ７は、洗浄消毒槽３の外側に設けられたＩＤ認識部８により認識される。  
また、ポンプ４１，流量センサ４２，切替弁ブロック３１Ｂの動作は、実施例１と同様に制御部３９（のＣＰＵ３９ａ）により制御される。
【００５２】
また、本実施例の内視鏡洗浄消毒装置１Ｂは、この内視鏡洗浄消毒装置１Ｂから離れた所にいるユーザに対しても、動作状況（工程の終了、異常の発生など）を伝達する伝達手段として発音体（ブザー・スピーカーなど）５９を備えている。  
なお、本実施例においては自動ブラシユニット３８は、設けられていない。その他の構成は、実施例１で説明した構成と同じである。  
本実施例においては、制御部３９は、切替弁ブロック３１における２つの管路弁５２ａ，ＣＨ管路弁５２ｂの閉から開にする弁の切替により、送液に用いる弁を選択する。そして、実施例１の場合よりは、内視鏡２Ｃに対する管路の切替が少なく、またブラシングも行わないが、切替弁ブロック３１Ｂの弁の切替制御等により、実施例１のように管路や処置具ＣＨを自動的に洗浄消毒する動作を行う。
【００５３】
また、洗浄消毒する途中で異常が発生したり、工程が終了した場合には制御部３９は、発音体５９の動作を制御し、ユーザに告知する。  
本実施例においても、既存の内視鏡２Ｃの場合に対して、複数の管路や処置具ＣＨを自動的に洗浄消毒する動作を行うことができる。  
従って、本実施例は、ユーザによる内視鏡の洗浄消毒する際の負担をより軽減でき、操作性を向上できる。
【００５４】
なお、図８の構成例では前方送水管路を備えていない内視鏡２Ｃ及び内視鏡洗浄消毒装置１Ｂの場合で示しているが、切替弁ブロック３１Ｂとして前方送水管路に対して洗浄消毒する切替弁を備えた構成及びその切替弁に接続された着脱口金を設けた構成の管路・ＣＨ着脱ユニット４Ｂにしても良い。  
そして、前方送水管路を持つ或いは持たないいずれの内視鏡にも、適切に対応できるようにしても良い。また、２ＣＨの内視鏡の場合にも対応できるように、例えばＣＨ管路弁５２ｂを２つにすると共に、着脱口金５１ｂも２つにしても良い（勿論、接続チューブ５３ｂも２本用いる）。そして、内視鏡ＩＤにより、いずれの場合にも適切に対応できるようにしても良い。  
また、簡易的な構成例として、例えば２ＣＨの内視鏡の場合には、１つの着脱口金５１ｂから、この着脱口金５１ｂに接続される部分は１本で途中で２本に分岐した接続チューブの他端を２つのＣＨ口金５５に接続して、２ＣＨに同時に送液して洗浄消毒するようにしても良い。
【００５５】
（実施例３）
本実施例は、例えば実施例１の内視鏡洗浄消毒装置１において、実施例２の発音体５９による伝達手段よりも、ユーザへの動作状況の告知をより詳細に行える告知装置を設けたものである。  
図９は本実施例における告知装置６１の構成を示す。この告知装置６１は、上述した実施例１のＣＰＵ３９ａと通信を行う第２のＣＰＵ６２を備える。なお、このＣＰＵ６２を、ＣＰＵ３９ａが兼用しても良い。  
このＣＰＵ６２には、ＣＰＵ３９ａによる洗浄消毒の動作結果が伝達される。このＣＰＵ６２は、ＣＰＵ３９ａから伝達される動作結果をもとに、発音体による告知を行うべきか否かの有無を判断する。
【００５６】
このＣＰＵ６２は、複数の発音パターンデータを格納した例えば不揮発性メモリ６３と、発音する場合の発音パターンデータを切り替えるデータ切換部６４と、発音パターンデータ等のデータ入力等を行うデータ入力部６５と接続されている。  
また、ＣＰＵ６２は、発音する場合には、発音パターンデータを音信号に変換する変換ロジック６６に出力する。そして、この変換ロジック６６により生成された音信号は、さらに増幅器６７により増幅された後、発音体としてのスピーカ６８に出力し、スピーカ６８から発音される音によりユーザは告知内容を理解することができる。  
本実施例においては、複数種類の発音パターンデータを不揮発性メモリ６３に格納している。ＣＰＵ６２は、ＣＰＵ３９ａから伝達される洗浄消毒における各種の動作結果の情報をデータ切換部６４に送り、このデータ切換部６４は、その情報に応じて発音パターンデータの選択情報（切換情報）を決定し、ＣＰＵ６２に伝える。なお、ＣＰＵ６２がデータ切換部６４の機能を兼ねるようにしても良い。
【００５７】
そして、ＣＰＵ６２は、データ切換部６４からの選択情報により、発音パターンデータを変換ロジック６６に出力し、変換ロジック６６は、発音パターンデータを音信号に変換し、さらに増幅器６７を経て増幅された音信号を発音体としてのスピーカ６８に出力する。なお、発音パターンデータは、変換ロジック６６に接続もしくは内蔵されていてもよい。  
本実施例によれば、発音パターンデータを複数用意し、それらを選択使用してユーザに告知する構成とする事により、内視鏡洗浄消毒装置で固有（個別）の発音を行う事ができる。  
これによりユーザは、その音を聞く事で、その内視鏡洗浄消毒装置と、動作状況の現象を認識する事が容易になる。  
また、データ入力部６５を有し、不揮発性メモリ６３内の発音パターンデータを書き換える（加える）事により、発音パターンデータのバリエーションを任意に増やすことができる。
【００５８】
図１０は、変形例の告知装置６１Ｂの構成を示す。本変形例では、ＣＰＵ６２は、内視鏡を認識する内視鏡認識部７１と、ユーザを認識するユーザ認識部７２とが接続されている。  
また、図９の場合と同様の変換ロジック６６の他に、内視鏡認識部７１とユーザ認識部７２の情報をもとに、音声データを作成する音声合成ロジック７３も備えている。  
また、変換ロジック６６と音声合成ロジック７３とを選択する選択スイッチ７４、７５を備えている。  
変換ロジック６６或いは音声合成ロジック７３の出力信号は、増幅器６７を経てスピーカ６８に印加される。  
そして、ＣＰＵ６２は、例えばユーザの名前を発生するような場合には、選択スイッチ７４，７５を介して音声合成ロジック７３を選択することができるにしている。また、通常の発音を行えば良いような場合には、変換ロジック６６を選択する。
【００５９】
以上のような構成により、図９の場合の他に、発音する発音内容として内視鏡の型名、シリアルナンバ、操作者（ユーザ）の名前を音声で告知する事ができる。  
なお、ユーザの名前は、固定でも良く、その場合ユーザ認識部７２はなくてもよい。また、音声合成ロジック７３によってユーザの名前や動作状況を告知する他に、通常の発音も行う（兼ねる）ようにすれば、変換ロジック６６を省略することもできる。  
本変形例は、実施例３の効果を有する他に、さらに複数のユーザの場合にもそれらのユーザに適した告知ができる。  
ところで、上記のように洗浄消毒された内視鏡２Ｊ（Ｊ＝Ａ，Ｂ，Ｃ等）は、内視鏡検査に繰り返し使用されるため、挿入部９の表面等が破損する場合がある。
【００６０】
従来は、破損部にビニールテープを巻き付け、内視鏡本体に水が入って故障するのを防止してから、洗浄消毒をして修理に出すような依頼をしていた。  
この場合、修理施設は破損した内視鏡が送られてきた後でないと、破損箇所、破損状況の詳細な把握ができない。  
また、修理工数見積、および修理計画も内視鏡が届いてからになってしまうし、ユーザ側も、修理済みの内視鏡が戻ってくるのを確認するまでに日数を要し、さらに修理完了後の内視鏡検査を円滑に行いにくくなる。  
このため、以下に説明する構成にすることにより、破損が見つかり次第、ユーザと修理施設双方で、破損状態や修理にかかる日数などの情報を共有する。そして、互いの業務を効率化することを目的とした内視鏡洗浄消毒システムを提供するようにしても良い。  
図１１に示す内視鏡洗浄消毒システム８１は、内視鏡洗浄消毒装置８２と、この内視鏡洗浄消毒装置８２にネットワーク８３で接続されたパーソナルコンピュータ（ＰＣと略記）８４とを有し、このＰＣ８４はインターネット８５を介して修理施設８６と接続されている。
【００６１】
また、この内視鏡洗浄消毒装置８２には、例えば操作パネルと表示モニタとを兼ねるタッチパネル８７が設けられている。  
この内視鏡洗浄消毒装置８２には、洗浄消毒対象の内視鏡８８が洗浄消毒槽内に載置され、洗浄消毒される。  
また、ＰＣ８４は、ＰＣ本体８４ａと、このＰＣ本体８４ａに接続され、表示を行うモニタ８４ｂと、各種のデータ等の入力や指示入力を行うキーボード８４ｃとを備える。    図１２に示すように内視鏡洗浄消毒装置８２は、その制御手段としてＣＰＵ８２ａを内蔵している。また、内視鏡洗浄消毒装置８２は、洗浄消毒される各種の内視鏡８８（図１１参照）に設けられた内視鏡ＩＤ発生部としてのＲＦＩＤの固有情報としての内視鏡ＩＤを読み取るＲＦＩＤリーダ９０を備える。  
そして、内視鏡洗浄消毒装置８２のＣＰＵ８２ａは、洗浄消毒の工程前にＲＦＩＤリーダ９０により読み取った内視鏡ＩＤを取得する。
【００６２】
そして、漏水検知工程で破損が見つかった場合には、ユーザは、ＣＰＵ８２ａとネットワーク８３により接続されたＰＣ８４を用いて内視鏡情報データベース（内視鏡情報ＤＢと略記）９１を参照する。  
図１２に示す例では、修理施設８６側に、内視鏡情報ＤＢ９１と破損情報データベース（破損情報ＤＢと略記）９２とが備えられている。そして、病院側のユーザは、ＰＣ８４により内視鏡情報ＤＢ９１と破損情報ＤＢにアクセスし、それらの情報を利用可能である。なお、ＰＣ８４に内視鏡情報ＤＢ９１と破損情報ＤＢ９２とを備えた構成にしても良い。  
内視鏡情報ＤＢ９１には、例えば内視鏡ＩＤに関連付けて図１３にその表示内容を示すように、その内視鏡８８の概略の形状を表す内視鏡形状グラフィックデータ（内視鏡形状ＧＤと略記）を伴う内視鏡情報（型名、シリアル番号）が登録されている。
【００６３】
従って、ユーザは、破損情報を登録するときは、ＲＦＩＤリーダ９０により読み出した内視鏡ＩＤをもとに、内視鏡情報ＤＢ９１から内視鏡形状ＧＤを取り出し、ＰＣ８４或いはタッチパネル８７上に内視鏡情報、内視鏡形状を表示する（以下ではタッチパネル８７での操作例として説明する）。  
そして、図１４に示すようにユーザは、タッチパネル８７の表示画面上において漏水検知工程で見つかった破損箇所にタッチペン等でタッチし、破損箇所を指定する。また、漏水検知工程で見つかった破損箇所の程度（或いは状況）の情報（図１４の例では軽微な破損のＡランクと中程度の破損程度のＣランク）も指定する。  
そして、ユーザは、破損情報の登録の指示を行い、ＰＣ８４に破損情報を登録（記録）する。
【００６４】
図１５はこの様子を示す。内視鏡洗浄消毒装置８２側で指定した破損情報は、この内視鏡洗浄消毒装置８２内部の破損情報記録手段８２ｃ内に破損情報が記録されると共に、ネットワーク８３を介してＰＣ８４のハードディスク等により構成される破損情報記録手段８４ｄに、破損情報が登録（記録）される。  
そして、ユーザは、破損した内視鏡８８の修理依頼するときは、ＰＣ８４を使用して例えば図１６に示すような詳細情報を入力し、その際、図１４のように指定した破損情報を添えて、インターネット８５経由で修理施設８６に依頼する。  
修理施設８６は、依頼と同時に修理工数の見積をし、修理にかかる予定日数等をユーザ側に通知する。
【００６５】
この場合、修理施設８６の修理業務を担うスタッフは、損傷情報として図１６に示すような詳細な情報と、損傷箇所の程度の情報も添付されて修理の依頼がされているので、修理工数の見積や、修理にかかる予定日数等を見積もることが容易となり、速やかにこれらを見積もって返信することができる。  
従って、本内視鏡洗浄消毒システム８１によれば、病院等のユーザ側と修理施設間とで破損情報を共有できる。また、破損情報を修理施設に正確にかつ短時間で伝達できるので、ユーザと修理施設の故障状況の誤認を防止できる。  
また、修理施設は、修理依頼に同期して、破損状況をリアルタイムに把握できるので、修理工数の見積等を効率よくできる。  
また、ユーザは、何日で修理された内視鏡が戻ってくるかを依頼後すぐに把握できるので、修理後の内視鏡使用計画を効率よく立てられる。  
なお上述した実施例などを部分的に組み合わせる等して構成される実施例等も本発明に属する。
【産業上の利用可能性】
【００６６】
内視鏡検査に使用された内視鏡を洗浄及び消毒することにより、内視鏡は清浄な状態にされ、次回の内視鏡検査に再使用される。
【図面の簡単な説明】
【００６７】
【図１】本発明の実施例１の内視鏡洗浄装置の内視鏡管路内への送液を行う部分を主体とした構成図。
【図２】内視鏡の管路装着部に自動的に接続する着脱流体着脱ユニットの構成を示す図。
【図３】自動ブラシングユニットの構成を示す図。
【図４】洗浄消毒の工程モードの手順を示すフローチャート。
【図５】洗浄消毒の工程モードにおけるブラシ工程の処理手順を示すフローチャーと。
【図６】洗浄消毒の工程モードにより内視鏡管路及び処置具チャンネル管路に送液するタイミング動作の説明図。
【図７】ブラシ工程により、処置具チャンネル管路をブラシングする動作の説明図。
【図８】本発明の実施例２の内視鏡洗浄装置の内視鏡管路内への送液を行う部分を主体とした構成図。
【図９】本発明の実施例３における告知装置の構成を示すブロック図。
【図１０】実施例３の変形例における告知装置の構成を示すブロック図。
【図１１】内視鏡洗浄消毒システムの構成図。
【図１２】図１１の内視鏡洗浄消毒システムの概略の機能ブロックを示すブロック図。
【図１３】内視鏡情報データベースから読み出した内視鏡表示情報の表示内容例を示す図。
【図１４】図１３の表示内容に破損箇所とその程度を指定した様子を示す図。
【図１５】図１４の破損情報を登録或いは記録した様子を示す図。
【図１６】インターネット経由で修理施設に依頼する場合に添付される破損情報の詳細を示す図。
【符号の説明】
【００６８】
１…内視鏡洗浄消毒装置、２Ａ、２Ｂ…内視鏡、３…洗浄消毒槽、４…管路着脱ユニット、５…ＣＨ口金、６…ＣＨ着脱ユニット、７…内視鏡ＩＤ発生部、８…内視鏡ＩＤ認識部、１１…処置具ＣＨ、１２…管路接続部、１４…送気管路、１５…送水管路、１６…前方送水管路、１８、１９、２０…着脱口金、２２…着脱口金保持部、２３…駆動機構、３０…センサ、３７…切替弁、３８…自動ブラシユニット、３９…制御部、３９ａ…ＣＰＵ、４１…ポンプ、４２…流量センサ
【図１】
0005252928.tif 000002
【図２】
0005252928.tif 000003
【図３】
0005252928.tif 000004
【図４】
0005252928.tif 000005
【図５】
0005252928.tif 000006
【図６】
0005252928.tif 000007
【図７】
0005252928.tif 000008
【図８】
0005252928.tif 000009
【図９】
0005252928.tif 000010
【図１０】
0005252928.tif 000011
【図１１】
0005252928.tif 000012
【図１２】
0005252928.tif 000013
【図１３】
0005252928.tif 000014
【図１４】
0005252928.tif 000015
【図１５】
0005252928.tif 000016
【図１６】
0005252928.tif 000017